(57)【特許請求の範囲】
【請求項１】
遊技球が流下可能な遊技領域が前側に設けられる遊技盤と、前記遊技盤の後側に配設され、各種図柄を変動表示可能な図柄表示装置と、前記遊技盤の遊技領域に配設され、窓口を介して前記図柄表示装置が臨む枠状装飾体と、前記枠状装飾体の下縁部に設けられ、遊技領域から窓口の内側に受入れた遊技球を転動させて遊技領域に排出するステージと、前記枠状装飾体に設けられ、前記遊技領域を流下する遊技球を前記ステージに誘導する球誘導部と、前記ステージの下側に前記遊技領域に臨ませて設けられ、前記図柄表示装置の図柄変動の契機となる遊技球を受入れる始動入賞口とを備えた遊技機において、
前記ステージには、遊技球を左右方向に案内する球転動面を夫々備えた球転動部が上下の関係で複数設けられ、前記球誘導部の球通出口が上段側に位置する第１の球転動部に連通するよう構成され、
前記第１の球転動部は、左右に傾斜するように形成された球転動面の底部前側に連通部が設けられると共に、該球転動面の前縁に壁部が立設され、
前記連通部は、前記始動入賞口の直上で遊技球を遊技領域に排出する第１案内ルートに接続する第１接続口と、下段側の球転動部へ遊技球を案内する第２案内ルートに接続する第２接続口と、前記始動入賞口の直上から外れた位置で遊技球を遊技領域に排出する第３案内ルートに接続する第３接続口とが左右横並びで位置するよう構成されて、該第１の球転動部の球転動面を転動する遊技球が、当該連通部において第１〜第３接続口の何れかを通過することで前記第１案内ルート、第２案内ルートまたは第３案内ルートに振り分けられるよう構成され、
前記第１の球転動部の前縁に立設された前記壁部において、前記球誘導部の球通出口側で前記連通部に臨む壁部の端縁部には、後方へ突出する案内突片が形成されて、該案内突片における前記第１の球転動部の傾斜方向上側に位置する縁部が、該連通部に近づくにつれて後方へ傾斜する傾斜状に形成され、壁部に沿って連通部に近接転動する遊技球を、該案内突片により連通部から離間する後壁部側に誘導するよう構成された
ことを特徴とする遊技機。
【請求項２】
前記第１の球転動部には、前記球転動面の前端縁に沿って立設された壁部の間に前後に連通する１つの前記連通部が設けられると共に、該球転動面に繋がる連通部の前側に前記第１案内ルートを間に挟んで第２案内ルートおよび第３案内ルートが設けられて、該第１〜第３案内ルートの夫々が連通部に連通するよう構成され、
前記第１案内ルートと第２案内ルートとを区画する区画壁および第１案内ルートと第３案内ルートとを区画する区画壁の少なくとも一方の区画壁と前後に整列する位置に、前記連通部から球転動面側に延出する突出部が形成されている請求項１記載の遊技機。
【請求項３】
前記第１の球転動部の下段に位置する第２の球転動部の球転動面は、該第１の球転動部の球転動面より前側に位置するよう設けられると共に、
前記第１〜第３案内ルートが前記第２の球転動部の球転動面の上方に離間する位置に設けられる請求項１または２記載の遊技機。
【請求項４】
前記第１の球転動部の下側に位置する第２の球転動部は、前記遊技領域における始動入賞口の直上で遊技球を排出する第４案内ルートと、この第４案内ルートの側方に設けられ、前記遊技領域における始動入賞口の直上から外れた位置で遊技球を排出する第５案内ルートとを備える請求項１〜３の何れか一項に記載の遊技機。
【請求項５】
前記第３案内ルートは、前記始動入賞口から離れる側方に遊技球を案内する案内部を備えると共に、該第３案内ルートにおいて遊技球が転動する球案内面が、該案内部の下流側において前記始動入賞口に近づく側方へ下方傾斜するよう形成された請求項１〜４の何れか一項に記載の遊技機。
【発明の詳細な説明】
【技術分野】
【０００１】
この発明は、遊技領域を流下する遊技球をステージに一時的に受入れて該ステージ上で転がり移動させた後に、遊技球を再び遊技領域に排出するよう構成された遊技機に関するものである。
【背景技術】
【０００２】
代表的な遊技機であるパチンコ機は、機内にセットされる遊技盤の盤面に画成した遊技領域の略中央位置に枠状装飾体が配設されて、該枠状装飾体の窓口から液晶式やドラム式等の図柄表示装置を臨ませると共に、遊技盤における枠状装飾体の下方位置に、パチンコ球(遊技球)の入賞により図柄表示装置での図柄の変動を開始させる始動入賞装置を配設するよう構成したものが多数提案されている(例えば、特許文献１参照)。この種のパチンコ機では、前記遊技領域に打ち出されたパチンコ球が前記始動入賞装置に入賞することにより、前記図柄表示装置で図柄変動に伴うリーチ演出等の各種の遊技演出がなされ、該図柄表示装置に図柄が所定の組合わせで停止すると、遊技者に有利な所謂大当りが発生するようになっている。
【０００３】
このように、大当りが発生するためには、前記始動入賞装置へのパチンコ球の入賞が必要とされることから、遊技者は、前記図柄表示装置での図柄変動と同様に、始動入賞装置へのパチンコ球の入賞にも大きな関心を持って遊技を楽しんでいる。そこで、前記パチンコ機では、枠状装飾体の下縁部にパチンコ球が左右方向に転動する所謂ステージを設けて、遊技領域を流下するパチンコ球を、ワープルート等を介して枠状装飾体内に一旦受入れてステージに案内し、該ステージ上で転動した後に始動入賞装置の上方の遊技領域へ排出させることで、パチンコ球の動きによる始動入賞装置への入賞の期待感を高めるよう構成されている。
【先行技術文献】
【特許文献】
【０００４】
【特許文献１】特開２００４−３１３５１９号公報
【発明の概要】
【発明が解決しようとする課題】
【０００５】
特許文献１に開示の遊技機では、ステージを上下に複数段設けて、上段のステージに受入れたパチンコ球を下段のステージに誘導し、下段のステージの前縁から遊技領域にパチンコ球を排出するか、或いは下段のステージから始動入賞装置の直上へパチンコ球を誘導する所謂王道ルートに入るようになっている。すなわち、上段のステージには、パチンコ球が下段のステージに流下する経路しかなく、上段のステージでの最終的な流下経路が予想できるので、上段のステージを転動するパチンコ球に対して遊技者の関心を効果的に惹き付けられていないのが現状であった。
【０００６】
すなわち本発明は、従来の技術に係る遊技機に内在する前記問題に鑑み、上段の球転動部を転動する遊技球に対する関心を向上し得るステージを備えた遊技機を提供することを目的とする。
【課題を解決するための手段】
【０００７】
前記課題を克服し、所期の目的を達成するため、本願の請求項１に係る遊技機は、
遊技球(P)が流下可能な遊技領域(20a)が前側に設けられる遊技盤(20)と、前記遊技盤(20)の後側に配設され、各種図柄を変動表示可能な図柄表示装置(18)と、前記遊技盤(20)の遊技領域(20a)に配設され、窓口(40a)を介して前記図柄表示装置(18)が臨む枠状装飾体(40)と、前記枠状装飾体(40)の下縁部に設けられ、遊技領域(20a)から窓口(40a)の内側に受入れた遊技球(P)を転動させて遊技領域(20a)に排出するステージ(90)と、前記枠状装飾体(40)に設けられ、前記遊技領域(20a)を流下する遊技球(P)を前記ステージ(90)に誘導する球誘導部(48)と、前記ステージ(90)の下側に前記遊技領域(20a)に臨ませて設けられ、前記図柄表示装置(18)の図柄変動の契機となる遊技球(P)を受入れる始動入賞口(27a)とを備えた遊技機において、
前記ステージ(90)には、遊技球(P)を左右方向に案内する球転動面(92a,122a)を夫々備えた球転動部(92,122)が上下の関係で複数設けられ、前記球誘導部(48)の球通出口(48c)が上段側に位置する第１の球転動部(92)に連通するよう構成され、
前記第１の球転動部(92)は、左右に傾斜するように形成された球転動面(92)の底部前側に連通部(97)が設けられると共に、該球転動面(92)の前縁に壁部(93)が立設され、
前記連通部(97)は、前記始動入賞口(27a)の直上で遊技球(P)を遊技領域(20a)に排出する第１案内ルート(105)に接続する第１接続口(97a)と、下段側の球転動部(122)へ遊技球(P)を案内する第２案内ルート(110)に接続する第２接続口(97b)と、前記始動入賞口(27a)の直上から外れた位置で遊技球(P)を遊技領域(20a)に排出する第３案内ルート(115)に接続する第３接続口(97c)とが左右横並びで位置するよう構成されて、該第１の球転動部(92)の球転動面(92a)を転動する遊技球(P)が、当該連通部(97)において第１〜第３接続口(97a,97b,97c)の何れかを通過することで前記第１案内ルート(105)、第２案内ルート(110)または第３案内ルート(115)に振り分けられるよう構成され、
前記第１の球転動部(92)の前縁に立設された前記壁部(93)において、前記球誘導部(48)の球通出口(48c)側で前記連通部(97)に臨む前記壁部(93)の端縁部には、後方へ突出する案内突片(98)が形成されて、該案内突片(98)における前記第１の球転動部(92)の傾斜方向上側に位置する縁部が、該連通部(97)に近づくにつれて後方へ傾斜する傾斜状に形成され、壁部(93)に沿って連通部(97)に近接転動する遊技球を、該案内突片(98)により連通部(97)から離間する後壁部(94)側に誘導するよう構成されたことを要旨とする。
【０００８】
請求項１に係る発明によれば、上段に位置する第１の球転動部を転動する遊技球が、３つの案内ルートで異なる領域に案内されるので、遊技者が遊技球の流下経路を予想し難く、ステージでの遊技球の動きに遊技者の関心をより強く惹き付けることができる。しかも、第１の球転動部を転動する遊技球が第３案内ルートに振分けられた場合には、始動入賞口から外れた位置で遊技球が排出されるため、該第１の球転動部上の遊技球の動きに適度な緊張感を与えることができる。
また、第１の球転動部の球転動面の前縁に設けた壁部に沿って転動する遊技球を、案内突片によって球転動面の後方へ向けて案内できるので、第１の球転動部で遊技球を長く転動させることができる。
【０００９】
請求項２に係る発明では、前記第１の球転動部(92)には、前記球転動面(92a)の前端縁に沿って立設された壁部(93)の間に前後に連通する１つの前記連通部(97)が設けられると共に、該球転動面(92a)に繋がる前記連通部(97)の前側に前記第１案内ルート(105)を間に挟んで第２案内ルート(110)および第３案内ルート(115)が設けられて、該第１〜第３案内ルート(105,110,115)の夫々が連通部(97)に連通するよう構成され、
前記第１案内ルート(105)と第２案内ルート(110)とを区画する区画壁(102)および第１案内ルート(105)と第３案内ルート(115)とを区画する区画壁(103)の少なくとも一方の区画壁(102,103)と前後に整列する位置に、前記連通部(97)から球転動面(92a)側に延出する突出部(96c)が形成されていることを要旨とする。
【００１０】
請求項２に係る発明によれば、１つの連通部から第１〜第３案内ルートに遊技球が振り分けられるので、遊技球が案内される経路の予想がつき難く、第１の球転動部上の遊技球の動きに対する遊技者の関心を強く惹きつけることができる。
【００１１】
請求項３に係る発明では、前記第１の球転動部(92)の下段に位置する第２の球転動部(122)の球転動面(122a)は、該第１の球転動部(92)の球転動面(92a)より前側に位置するよう設けられると共に、
前記第１〜第３案内ルート(105,110,115)が前記第２の球転動部(122)の球転動面(122a)の上方に離間する位置に設けられることを要旨とする。
【００１２】
請求項３に係る発明によれば、第１〜第３案内ルートが第１の球転動部の球転動面の前側に設けられているので、第１〜第３案内ルートで手前側に案内される遊技球が視認し易い。また、第１の球転動部と第２の球転動部とが前後にずらして設けられているので、第２の球転動部の球転動面の上方のスペースを有効利用して第１〜第３案内ルートを設けることができる。
【００１５】
請求項４に係る発明では、前記第１の球転動部(92)の下側に位置する第２の球転動部(122)は、前記遊技領域(20a)における始動入賞口(27a)の直上で遊技球(P)を排出する第４案内ルート(127)と、この第４案内ルート(127)の側方に設けられ、前記遊技領域(20a)における始動入賞口(27a)の直上から外れた位置で遊技球(P)を排出する第５案内ルート(128)とを備えることを要旨とする。
【００１６】
請求項４に係る発明によれば、下段側に位置する第２の球転動部においても、複数の案内ルートが設けられているので、遊技球が案内される経路の予想がつき難く、遊技者の関心をより強く惹くことができる。
【００１７】
請求項５に係る発明では、前記第３案内ルート(115)は、前記始動入賞口(27a)から離れる側方に遊技球(P)を案内する案内部(118)を備えると共に、該第３案内ルート(115)において遊技球が転動する球案内面(115a)が、該案内部(118)の下流側において前記始動入賞口(27a)に近づく側方へ下方傾斜するよう形成されたことを要旨とする。
【００１８】
請求項５に係る発明によれば、第３案内ルートでは、案内部により遊技領域における始動入賞口から外れた位置に案内された遊技球を、該第３案内ルートの球転動面の傾斜によって始動入賞口側へ向けて移動させ得るから、該第３案内ルートに遊技球が移動した場合でも始動入賞口に対する入賞の期待感があり、パチンコ球の動きに対する遊技者の関心を維持することができる。
【発明の効果】
【００１９】
本発明に係る遊技機によれば、上段側に位置する第１の球転動部であっても、遊技球が遊技領域への排出ルートを含む多彩な案内ルートで案内されるので、ステージに遊技者の関心を強く惹き付けることができる。
【図面の簡単な説明】
【００２０】
【図１】本発明の実施例に係るパチンコ機を示す正面図である。
【図２】実施例に係る遊技盤を示す正面図である。
【図３】実施例に係る枠状装飾体を示す斜視図である。
【図４】実施例に係る枠状装飾体を正面側から視た分解斜視図であって、ステージ、球通路部材および前側装飾部材を省略して示す。
【図５】実施例に係る枠状装飾体の基体と、第１の分離台板とを分解した状態で示す部分拡大図である。
【図６】実施例に係る第１の分離台板を背面側から視た状態で示す斜視図である。
【図７】(a)は実施例に係る第１の分離台板を示す正面図であり、(b)は(a)のＡ−Ａ線断面図である。
【図８】実施例に係る遊技盤を回転案内部材の配設位置で示す拡大図である。
【図９】実施例に係る設置部材に配設された光照射装置と筒状部との関係を示す要部拡大正面図である。
【図１０】実施例に係る枠状装飾体において左側の発光装飾部の配設位置を示す拡大図である。
【図１１】実施例に係る枠状装飾体の基体と、発光装飾部とを分解した状態を正面側から視た状態で示す拡大図である。
【図１２】実施例に係る枠状装飾体の基体と、発光装飾部とを分解した状態を背面側から視た状態で示す拡大図である。
【図１３】図１０のＢ−Ｂ線断面図であって、遊技盤および発光装飾部の関係を示す。
【図１４】実施例に係るステージを示す正面図である。
【図１５】実施例に係るステージを正面側から視た状態で示す斜視図である。
【図１６】(a)は第１ステージ部材を示す平面図であって、(b)は第２ステージ部材を示す平面図である。
【図１７】図１４のＣ−Ｃ線断面図である。
【図１８】実施例に係る第１ステージ部をパチンコ球が転動する状態を示す要部拡大斜視図である。
【図１９】実施例に係る第２ステージ部をパチンコ球が転動する状態を示す要部拡大斜視図である。
【発明を実施するための形態】
【００２１】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００２２】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な図柄表示装置１８が着脱可能に配設されている。また、前記中枠１２の前面側には、前記遊技盤２０を透視保護するガラス板や透明な合成樹脂材により形成された透視保護板(図示せず)で前後に開口する窓部１３ａを覆うよう構成された前枠１３が開閉可能に組み付けられると共に、該前枠１３の下方にパチンコ球Ｐを貯留する下球受け皿１５が開閉可能に組み付けられる。なお、実施例では、前記前枠１３の下部位置に、パチンコ球Ｐを貯留する上球受け皿１４が一体的に組み付けられており、前枠１３の開閉に合わせて上球受け皿１４も一体的に開閉するよう構成される。なお、実施例では、前記図柄表示装置１８としては、各種図柄を表示可能な液晶パネルを収容ケースに収容した液晶表示装置が採用されるが、これに限られるものではなく、ドラム式の図柄表示装置１８やドットマトリックス式の図柄表示装置１８等の各種図柄を停止および変動表示可能な従来公知の各種の図柄表示装置１８を採用し得る。また、前記上球受け皿１４は、前記前枠１３と別体に形成してもよい。
【００２３】
また、前記中枠１２の右下方位置には、該中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球Ｐが前記遊技盤２０に向けて発射されるようになっている。ここで、前記操作レバー１６ａの回動量に応じて前記打球発射装置によるパチンコ球Ｐの打球力が強弱変化するよう構成されている。
【００２４】
(遊技盤２０について)
前記遊技盤２０は、図２に示すように、所定板厚の略矩形状に形成された木材板の前面に、各種絵柄等が描かれた合成樹脂シート(図示せず)等を貼付けて形成された板状の部材であって、該遊技盤２０の前面(盤面)に配設された略円形状に湾曲形成する案内レール２１により、パチンコ球Ｐが流下可能な遊技領域２０ａが画成されている。そして、前記遊技盤２０の裏面に、前記図柄表示装置１８が取り付けられた設置部材３３(後述)が配設されている。また、前記遊技盤２０には、ルーター加工等の孔空け加工により前後に貫通する複数の装着口２５が開設されて(図１３に枠状装飾体４０の装着口のみ図示)、各装着口２５に対して各種の遊技盤設置部品(具体的には後述する枠状装飾体４０、始動入賞装置２７、特別入賞装置２８等)が前側から取り付けられると共に、遊技領域２０ａの最下部位置には、該遊技領域２０ａに打ち出されたパチンコ球Ｐを排出するアウト口２６が開設されている。なお、前記装着口２５の形成数は、遊技盤２０に対する遊技盤設置部品の配設数や配設位置等に応じて適宜決定される。
【００２５】
ここで、前記案内レール２１は、遊技盤２０の左下部から右上部に至るよう左方向に膨出する円弧状に形成された外レール２２と、該外レール２２の内側に配置されて、遊技盤２０の右上部、右下部および左上部に至るよう右方向に膨出する円弧状に形成された内レール２３,２４とから構成されている。前記内レール２３,２４は、遊技盤２０の右上部から下部に亘って配設され、左端縁が右方に凹む円弧状に形成された盤面飾り部材２３と、遊技盤２０の下部から左上部に亘って配設されて盤面飾り部材２３の下端部に連接し、前記外レール２２の右方に離間して位置するレール部材２４とから構成され、該外レール２２およびレール部材２４により１個のパチンコ球Ｐが通過可能な発射通路２１ａが画成されている。ここで、前記内レールを構成するレール部材２４は、前記遊技盤２０の左上部に開放端を臨ませるよう構成されて、前記打球発射装置から発射されたパチンコ球Ｐが発射通路２１ａの下方開口から飛翔して、レール部材２４の開放端側から遊技領域２０ａ内に打ち出されるようになっている。
【００２６】
そして、実施例の前記遊技盤２０には、前記案内レール２１で囲まれた遊技領域２０ａの略中央の大部分が開口する装着口２５に、前後に開口する窓口４０ａが形成された枠状装飾体４０が取り付けられ、該枠状装飾体４０の窓口４０ａを介して図柄表示装置１８の表示面が遊技盤２０の前面側に臨むよう構成されている。また、前記枠状装飾体４０が取り付けられる装着口２５の下方には、別の装着口(図示せず)が開設されており、この別の装着口に、遊技領域２０ａを流下するパチンコ球Ｐが入賞可能な始動入賞口２７ａを有する始動入賞装置２７が取り付けられると共に、パチンコ球Ｐが入賞可能な特別入賞口２８ａを有する特別入賞装置２８が取り付けられている。
【００２７】
そして、前記始動入賞装置２７の始動入賞口２７ａに対するパチンコ球Ｐの入賞を契機として、前記図柄表示装置１８において図柄が変動表示されて図柄変動演出が展開され、該図柄変動演出の結果、図柄表示装置１８に所定の図柄組み合わせ(例えば同一図柄の３つ揃い等)で図柄が停止表示されることで所謂大当りが発生し、大当りの発生に伴って前記特別入賞装置２８が開放して多数の賞球を獲得し得る機会が与えられるようになっている。ここで、前記始動入賞装置２７は、上下の位置関係で２つの始動入賞口２７ａ(図２には上側の始動入賞口のみ図示)を備えており、上側の始動入賞口２７ａが遊技領域２０ａ内で常に上方に開口してパチンコ球Ｐが入賞し得る常時開放型の入賞口とされている。また、下側の始動入賞口(図示せず)は、左右両側に備えられた開閉部材２７ｂの開閉動作によりパチンコ球Ｐの入賞が許容・規制される開閉型の入賞口とされている。そして、前記特別入賞装置２８は、開閉扉２８ｂにより特別入賞口２８ａ(図２参照)を常には閉鎖するよう構成され、大当りの発生に伴って特別入賞口２８ａを開放される。なお、図２では、特別入賞口２８ａを開放した状態を示してある。
【００２８】
図２、図８に示すように、前記遊技盤２０には、前記遊技領域２０ａ内に多数の遊技釘３０が設けられており、遊技釘３０との接触によりパチンコ球Ｐの流下方向が不規則に変化するよう構成されている。また、前記枠状装飾体４０の左側方には、遊技領域２０ａを流下するパチンコ球Ｐの接触に伴って回転する回転案内部材２９(回転体)が回転自在に支持されている。前記回転案内部材２９は、所謂「風車」とも称される部材であって、該回転案内部材２９を回転自在に支持する支軸２９ａを中心とした放射状に複数(実施例では３つ)の接触板２９ｂが設けられている(図８参照)。そして、前記遊技領域２０ａを流下するパチンコ球Ｐが接触板２９ｂに接触することで前記回転案内部材２９が左右方向に回転されて、パチンコ球Ｐが回転案内部材２９の回転方向に弾くよう放出されるようになっている。
【００２９】
また、前記遊技盤２０には、図２、図８に示すように、前記始動入賞装置２７における上側の始動入賞口２７ａと前記回転案内部材２９との間に、前記遊技釘３０が直線状に連続して設けられている。ここで、以下の説明では、前記始動入賞装置２７および回転案内部材２９の間に直線状に連続する遊技釘３０群を案内連釘３１と指称するものとする。すなわち、前記回転案内部材２９の回転に伴って右方向(始動入賞装置２７側)にパチンコ球Ｐが放出されることで、前記案内連釘３１上に移動するようになっている。前記案内連釘３１は、前記始動入賞装置２７の上側の始動入賞口２７ａに向けて下方傾斜するよう配置されており、前記回転案内部材２９から放出されたパチンコ球Ｐを始動入賞装置２７の上側の始動入賞口２７ａへ案内するよう構成される。すなわち、前記案内連釘３１は、前記回転案内部材２９の回転により放出されたパチンコ球Ｐを始動入賞装置２７へ案内する案内部として機能している。なお、前記案内連釘３１を構成する遊技釘３０は、適宜位置(実施例では２箇所)でパチンコ球Ｐが通過可能な隙間３１ａが空くよう設けられており、該案内連釘３１上を移動するパチンコ球Ｐが特別入賞装置２８側に流下し得るようになっている。
【００３０】
(設置部材３３について)
前記遊技盤２０の裏面に配設される前記設置部材３３は、該遊技盤２０の外郭形状と略整合する大きさおよび形状に形成された背面板３３ａと、該背面板３３ａの外周縁部から前方に突出する画壁部３３ｂとから前方に開口した箱状に形成されて、該画壁部３３ｂの前端部を遊技盤２０の裏面に当接させた状態で、当該遊技盤２０と設置部材３３とがネジにより固定される。そして、前記設置部材３３において前記遊技盤２０との間に画成される空間(図示せず)に、可動演出装置(図示せず)や適宜の後側装飾部材３４(図９参照)が設置されて、設置部材３３を基材とする１つのユニットとして扱い得るようになっている。また、前記設置部材３３の背面板３３ａには、前後に開口する開口部３３ｃ(図９参照)が前記枠状装飾体４０の窓口４０ａの後方位置に開設されると共に、該背面板３３ａの裏側に前記図柄表示装置１８が着脱自在に取り付けられて、該枠状装飾体４０の窓口４０ａおよび設置部材３３の開口部を介して図柄表示装置１８の表示部が遊技盤２０の前側に露出するようになっている。
【００３１】
前記設置部材３３の上部位置には、前記枠状装飾体４０に形成された発光装飾部６５(後述)の後方位置に、前方へ光を照射する光照射装置６６(後述)が配設されており(図９、図１３参照)、該光照射装置６６から照射された光で発光装飾部６５が発光(明輝)するようになっている。すなわち、実施例のパチンコ機１０では、前記枠状装飾体４０に設けられた発光装飾部６５と、前記設置部材３３に設けられた光照射装置６６とにより前記遊技盤２０を発光装飾する発光装置を構成している。
【００３２】
(枠状装飾体４０について)
次に、前記遊技盤２０の装着口２５に配設される前記枠状装飾体４０について説明する。図２〜図４に示すように、前記枠状装飾体４０は、前記装着口２５に沿って延在する環状の基体４１と、該基体４１の下部(開口下縁部)に設けられ、パチンコ球Ｐが転動可能なステージ９０と、遊技盤２０に設けられた前記遊技領域２０ａを流下するパチンコ球Ｐをステージ９０に誘導する球誘導部４８と、当該基体４１の開口内側に設けられ、発光により枠状装飾体４０を装飾する発光装飾部６５とを備えて、当該基体４１が遊技盤２０に取り付けられている。そして、前記枠状装飾体４０の基体４１を前記装着口２５に配設した際に、前記設置部材３３の開口部３３ｃが基体４１の開口内側で開口して、前記図柄表示装置１８が遊技盤２０の前面に露出するようになっている。すなわち、前記基体４１の開口が前記窓口４０ａを形成している。
【００３３】
前記基体４１は、図３、図４に示すように、前記装着口２５に挿入される環状の枠本体４２と、該枠本体４２の前端部に形成された設置部４２ａに取り付けられ、前記遊技盤２０の前面に突出する庇状部４６と、該枠本体４２の前端部に設けられて外方へ延出し、前記遊技盤２０の前面に当接する台板５０,５１,５２,６０とから構成され、該台板５０,５１,５２,６０を遊技盤２０の前面からネジ止めすることで、該基体４１(枠状装飾体４０)が遊技盤２０に固定されるようになっている。そして、前記基体４１や庇状部４６に対して、適宜の装飾形状に形成された前側装飾部材４７が前記窓口４０ａに位置するよう取り付けられている。
【００３４】
また、前記枠本体４２(枠状装飾体４０)には、前記窓口４０ａの開口内側に位置するよう左右の上部位置に前後に貫通する円筒状の設置筒部４４が設けられており、該設置筒部４４に対して前記発光装飾部６５(具体的には後述する筒状部７３)が設置されるようになっている(図４、図１１、図１２参照)。更に、前記枠本体４２の前面において前記設置筒部４４の側部位置には、該設置筒部４４側および前側に開口する嵌合凹部４５が形成されると共に、該設置筒部４４の開口前端部に環状凹部４４ａが形成されており、環状凹部４４ａおよび嵌合凹部４５を介して前記発光装飾部６５の筒状部７３が位置決め保持される。
【００３５】
ここで、前記庇状部４６は、図３、図４に示すように、前記枠本体４２における左側枠部分から上側枠部分および右側枠部分に亘って、前記台板５０,５１,５２,６０より前方へ突出するよう設けられ、前記遊技領域２０ａに打ち出されて庇状部４６に接触したパチンコ球Ｐを枠状装飾体４０の側方に誘導して窓口４０ａを横切って流下しないようになっている。すなわち、前記枠状装飾体４０には、前記遊技盤２０の前面より前方へ突出する庇状部４６が前記窓口４０ａの左右側方および上方を囲繞するよう設けられている。なお、図４に示すように、前記庇状部４６は、複数の部材(実施例では４つの部材)から構成されて、各部材を基体４１にネジ止めすることで一連の庇状に形成される。
【００３６】
また、図２、図８に示すように、前記枠状装飾体４０の開口左縁部(枠本体４２の左側枠部分)に設けられた前記庇状部４６の下端部は、前記遊技盤２０に設けられた前記回転案内部材２９の配設位置よりも上方に位置するよう構成されている。従って、前記回転案内部材２９の回転により前記始動入賞装置２７側に放出されたパチンコ球Ｐが庇状部４６の下方を通過して前記案内連釘３１側へ移動するようになっている。また、前記枠状装飾体４０の開口左縁部(枠本体４２の左側枠部分)に設けられた前記庇状部４６の下端部には、前記遊技領域２０ａ内に開口する球受入れ部材４８ａが取り付けられると共に、球受入れ部材４８ａに連通する連通口４２ｂが枠本体４２に前後に開口するよう開設されている。そして、前記枠状装飾体４０における開口左縁部部(枠本体４２の左側枠部分)の後部に、前記連通口４２ｂの後方開口部に連通する球通路部材４８ｂが枠本体４２に沿って下方へ延在するよう配設されて、該球通路部材４８ｂの下端部に設けられた球通出口４８ｃが前記ステージ９０(後述する第１ステージ部９２)に連通するよう構成されている。これにより、遊技盤２０の遊技領域２０ａを流下する過程で前記球受入れ部材４８ａに通入したパチンコ球Ｐが前記連通口４２ｂおよび球通路部材４８ｂを介して前記ステージ９０(第１ステージ部９２)に誘導されるようになっている。すなわち、パチンコ球Ｐをステージ９０に誘導する球誘導部４８として前記球受入れ部材４８ａおよび球通路部材４８ｂが機能している。
【００３７】
(台板５０,５１,５２について)
前記台板５０,５１,５２,６０は、図２〜図５に示すように、前記枠本体４２と一体的に樹脂成形される固定台板５０と、該枠本体４２に対して着脱可能に取り付けられる分離台板(分離部材)５１,５２,６０とから構成されている。前記固定台板５０および分離台板５１,５２,６０の夫々は、一定の厚み寸法Ｔ１(例えば２〜３ｍｍ)で形成されると共に、表面に適宜の彫刻模様が形成されている。前記枠本体４２における分離台板５１,５２,６０の取付位置には、前記分離台板５１,５２,６０の厚み寸法で前面側が凹んだ設置凹部４３が形成されており、当該分離台板５１,５２,６０を設置凹部４３に取り付けた際に、固定台板５０および分離台板５１,５２,６０の前面が略同一面上に位置するよう構成されている。
【００３８】
また、前記各分離台板５１,５２,６０において前記遊技盤２０の前面に当接する位置(後述するメッキ部５７)に通孔５１ａ,５２ａ,６０ａが形成され、該通孔５１ａ,５２ａ,６０ａを介して分離台板５１,５２,６０を遊技盤２０にネジ止めすることで、当該遊技盤２０の前面からの分離台板５１,５２,６０の浮き上がりを防止している。前記固定台板５０および分離台板５１,５２,６０において前記枠本体４２から外方へ突出する端縁部には、該突出端縁部に向かうにつれて後方傾斜する傾斜案内面５３が夫々形成されており、パチンコ球Ｐが傾斜案内面５３を介して固定台板５０および分離台板５１,５２,６０の前面に容易に移動し得るよう構成されている。すなわち、前記固定台板５０および分離台板５１,５２,６０が前記遊技盤２０の遊技領域２０ａを流下するパチンコ球Ｐの動きの妨げになることはなく、該固定台板５０および分離台板５１,５２,６０の前面をパチンコ球Ｐがスムーズに通過し得るようになっている。
【００３９】
ここで、前記分離台板５１,５２,６０の夫々は、合成樹脂材(例えばＡＢＳ樹脂等)から形成されたベース材５４の表面全体に、電気メッキ等のメッキ処理によってメッキ層５４ａが形成されており、該分離台板５１,５２,６０の装飾性を高めている。なお、前記枠本体４２と一体的に樹脂成形される固定台板５０は、合成樹脂材(例えばＡＢＳ樹脂等)に着色剤を混練することで色彩が付与されている。なお、実施例では、前記枠本体４２の左下部位置(回転案内部材２９の側方位置)、左右上部位置(発光装飾部６５と対応する位置)および前記始動入賞装置２７の上方位置の５箇所に前記分離台板５１,５２,６０が設けられている。また、以下の説明において、前記枠本体４２の左下部位置(回転案内部材２９の側方位置)に位置する分離台板を、第１の分離台板５１と指称し、該枠本体４２の左右上部位置(発光装飾部６５と対応する位置)に位置する分離台板を第２の分離台板５２と指称するものとする。
【００４０】
前記第１の分離台板５１の裏面には、図５、図６に示すように、後方へ突出する複数(実施例では３つ)の固定突部５５が形成されると共に、前記枠本体４２の外周縁部に沿って延在する嵌合突片５６が形成されている。そして、前記枠本体４２の左下部位置に形成された前記設置凹部４３に、前記固定突部５５が嵌合する固定孔４３ａおよび前記嵌合突片５６が嵌合する嵌合溝４３ｂが形成されており、該固定孔４３ａに固定突部５５を嵌合すると共に該嵌合溝４３ｂに嵌合突片５６を嵌合させた状態で、該枠本体４２の裏側から固定突部５５がネジ止めされる。すなわち、前記第１の分離台板５１に形成された通孔５１ａ,５２ａを介して遊技盤２０に固定されたネジを外すと共に、前記固定突部５５に固定されたネジを外すことで、該第１の分離台板５１を前記枠本体４２(設置凹部４３)から取り外し可能になっている。また、前記第１の分離台板５１は、前記嵌合突片５６を基準として前記枠状装飾体４０の窓口４０ａより外方に延出する部分が前記遊技盤２０の前面に当接するよう構成されている。
【００４１】
前記第１の分離台板５１の前面は、図７(a),(b)に示すように、前記メッキ層５４ａの表面の一部を塗装してある。なお、図７(a)では、前記第１の分離台板５１の塗装部５８に対応する領域に、微小な点を付して表示してある。すなわち、前記分離台板５１,５２,６０には、前記メッキ層５４ａが直接露出する非塗装部５７と、該メッキ層５４ａの表面を塗装した塗装部５８とが隣接して形成されている。また、前記第１の分離台板５１の塗装部５８は、有色透明な塗料により形成されており、該塗装部５８の下地となるメッキ層５４ａでの光反射により塗装部５８が光沢を伴った装飾となっている。なお、以下の説明では、前記第１の分離台板５１において、メッキ層５４ａが直接露出する非塗装部をメッキ部５７と指称するものとする。すなわち、前記遊技盤２０に固定するネジ用の通孔５１ａは、前記第１の分離台板５１における前記メッキ部５７に形成されている。
【００４２】
ここで、図７に示すように、前記第１の分離台板５１には、前記枠状装飾体４０の窓口４０ａ側に前記塗装部５８が位置する関係でメッキ部５７と塗装部５８とが隣接して形成されており、該メッキ部５７における塗装部５８との境界位置に、該メッキ部５７よりも前方へ突出する段差部５９が形成されている。ここで、前記段差部５９は、前記前枠１３に設けられた前記遊技盤２０を透視保護する前記前枠１３の透視保護板との間を、前記遊技領域２０ａを流下するパチンコ球Ｐが通過し得る突出寸法で形成されており、遊技領域２０ａを流下する過程で段差部５９を越えて移動したパチンコ球Ｐが前記塗装部５８側に移動し得るようになっている。なお、前記メッキ部５７および塗装部５８の前面からの前記段差部５９の突出寸法は、略１〜２ｍｍに設定されて、第１の分離台板５１の背面から段差部５９の先端までの厚み寸法Ｔ２が略３〜４ｍｍとなるよう構成されている(図７(b)参照)。すなわち、前記メッキ部５７の前面を移動するパチンコ球Ｐが前記段差部５９の形成位置に到来した際に、該段差部５９が抵抗として機能して前記塗装部５８側にパチンコ球Ｐが移動する頻度を低減するようになっている。また、前記メッキ部５７および塗装部５８の前面からの前記段差部５９の突出寸法を、パチンコ球Ｐの直径寸法(略１１ｍｍ)に較べて相対的に小さな値(すなわち略１〜２ｍｍ)に設定することで、段差部５９がパチンコ球Ｐの動きに与える影響を極めて小さくしている。
【００４３】
また、図７、図８に示すように、前記メッキ部５７と塗装部５８との境界は、前記第１の分離台板５１の側方に位置する前記回転案内部材２９の回転に伴って放出されたパチンコ球Ｐが描く放物線に近似した曲線で形成されると共に、該メッキと塗装部５８との境界に沿って前記段差部５９が延在するよう構成されている。すなわち、前記回転案内部材２９から放出されたパチンコ球Ｐが描く放物線に近似した曲線で前記段差部５９が延在することで、パチンコ球Ｐを段差部５９に沿って前記案内連釘３１側へ緩やかに誘導し得るようになっている。また、前記メッキ部５７および塗装部５８の前面からの前記段差部５９の突出寸法は、前記第１の分離台板５１の上部から下部(段差部５９の上端部から下端部)に向かうにつれて漸増するよう構成されている。なお、前記段差部５９が形成される曲線は、前記回転案内部材２９の回転に伴って最も勢いよく放出されたパチンコ球Ｐが描く放物線に近似するよう実験やシミュレーション等によって設定されている。
【００４４】
また、前記段差部５９は、図７(b)に示すように、前記メッキ部５７側の側面５９ａの接線が前記遊技盤２０に交差する交差角度θは、当該側面５９ａの遊技盤２０側の端縁部(メッキ部５７側の端縁部)から段差部５９の突出端部に至るにつれて漸増するよう形成される。すなわち、前記段差部５９は、前記メッキ部５７側の側面５９ａが窪んだ凹状に形成されている。これにより、前記メッキ部５７の前面を移動するパチンコ球Ｐが塗装部５８に至る過程でパチンコ球Ｐが段差部５９を乗り越える際の抵抗を高めている。
【００４５】
(発光装飾部６５について)
図４、図９〜図１３に示すように、前記発光装飾部６５は、前方へ光を照射するＬＥＤ７０ａ(発光体)と、該ＬＥＤ７０ａの前側(光照射方向前側)に設けられた凸レンズ部７１と、該凸レンズ部７１の前側に配設されて前後方向(光照射方向)に貫通する筒状部７３と、該筒状部７３の前側に配設されたカバー部７５とから構成される。すなわち、前記ＬＥＤ７０ａを発光した際に、該ＬＥＤ７０ａの光が前記凸レンズ部７１で拡大・拡散されると共に、前記筒状部７３内を通過してカバー部７５に照射されるようになっている。ここで、前記ＬＥＤ７０ａおよび凸レンズ部７１は、前記設置部材３３に配設された前記光照射装置６６に設けられる一方で、前記筒状部７３およびカバー部７５は前記枠状装飾体４０に設けられており、前記遊技盤２０と設置部材３３とを組み付けた際に、凸レンズ部７１の前側に筒状部７３が位置するよう構成されている。なお、図１３では設置部材３３の図示を省略してある。
【００４６】
前記設置部材３３に配設される前記光照射装置６６は、図９、図１３に示すように、前記設置部材３３に固定される前カバー体６７と、該前カバー体６７の裏側に配設されて当該前カバー体６７との間に設置空間６９を画成する後カバー体６８を備え、該前後のカバー体６７,６８により画成された設置空間６９に前記ＬＥＤ基板７０が収容されている。ここで、前記光照射装置６６は、前記設置部材３３における前記画壁部３３ｂの前端部側(設置部材３３の前方開口端部)に位置するよう配設されて、前記前カバー体６７が遊技盤２０の裏面に当接するようになっている(図１３参照)。
【００４７】
また、前記前カバー体６７は、図１３に示すように、前記設置部材３３の開口前端部に位置して前記遊技盤２０に当接する当接面部６７ａと、該当接面部６７ａより前方に突出して遊技盤２０に形成された装着口２５の内側に臨む膨出状部６７ｂとを備えており、該前カバー体６７の外郭形状が前記設置部材３３の左側面をなす左画壁部３３ｂおよび該設置部材３３の右側面をなす右画壁部３３ｂの間に亘って延在すると共に、当該設置部材３３に形成された開口部の上方の略全体を覆う大きさに形成されている。また、前記膨出状部６７ｂの後面側は、後方に開放する凹状に形成されており、該膨出状部６７ｂの凹状部分に前記ＬＥＤ基板７０が設置されている。なお、前記後カバー体６８は、前記前カバー体６７に形成された前記膨出状部６７ｂの後方開口形状に略整合する形状に形成された平板状の部材であって、該後カバー体６８を前カバー体６７に固定することで、膨出状部６７ｂに前記設置空間６９が画成されるようになっている。
【００４８】
ここで、前記ＬＥＤ基板７０には、前記発光装飾部６５を構成するＬＥＤ７０ａの他に、複数のＬＥＤ(図示せず)が実装されており、前記枠状装飾体４０に設けられた前記前側装飾部材４７に後方から光を照射するよう構成されている。なお、以下の説明でＬＥＤという場合には、前記ＬＥＤ基板７０に実装されたＬＥＤの内で、前記発光装飾部６５を構成するＬＥＤ７０ａを指すものとする。なお、前記前カバー体６７は、光透過性の合成樹脂材により形成されて、前記ＬＥＤ基板７０のＬＥＤ７０ａからの光を透過するよう構成されている。
【００４９】
そして、図９、図１３に示すように、前記前カバー体６７において、前記ＬＥＤ基板７０のＬＥＤ７０ａの前側に対応する位置に、前方へ突出する前記凸レンズ部７１が形成されている。ここで、前記凸レンズ部７１は、該凸レンズ部７１に対向する前記ＬＥＤ７０ａの前面全体を覆う大きさで形成されており、該ＬＥＤ７０ａから照射された光の大部分が凸レンズ部７１を透過するよう構成されている。また、前記凸レンズ部７１の焦点位置は、前記発光装飾部６５を構成するカバー部７５(具体的には後述する光透過体７９における環状筒部８０の前面)よりも後方(すなわち光照射方向後側)に設定されており、凸レンズ部７１を透過した光が拡散されてカバー部７５(光透過体７９における環状筒部８０前面)の広範囲に光が照射されるようになっている。
【００５０】
前記筒状部７３は、図４、図１１〜図１３に示すように、開口後端部から開口前端部に向かうにつれて開口面積が増大する筒状に形成され、前記枠状装飾体４０(枠本体４２)に形成した前記設置筒部４４に挿入される筒本体７３ａと、該筒本体７３ａの開口前端部から外方に突出する挟持片７３ｂとを備え、該筒状部７３(筒本体７３ａ)の後方開口部(光照射方向後側の貫通口)に、前記凸レンズ部７１が臨んで、該凸レンズ部７１を透過した前記ＬＥＤ基板７０のＬＥＤ７０ａの光が筒状部７３(筒本体７３ａ)の内側を通過するようになっている。そして、前記筒状部７３の筒本体７３ａを前記設置筒部４４に前側から内挿した際に、該枠状装飾体４０(枠本体４２)に形成した前記嵌合凹部４５に前記挟持片７３ｂが嵌合するよう構成される。そして、前記挟持片７３ｂを嵌合凹部４５に嵌合した状態で、前記第２の分離台板５２を枠状装飾体４０の枠本体４２に取り付けることで、該挟持片７３ｂの前面に当接して、当該挟持片７３ｂが枠本体４２(嵌合凹部４５)および第２の分離台板５２との間で挟持固定される。
【００５１】
また、前記筒本体７３ａの開口前端部には、図１１〜図１３に示すように、前記挟持片７３ｂより小さな突出寸法で外方へ突出する環状突片７３ｃが筒本体７３ａの略全周に亘って形成されている。この環状突片７３ｃは、前記嵌合凹部４５に前記挟持片７３ｂを嵌合した状態で、前記設置筒部４４の前端部に形成した環状凹部４４ａに環状突片７３ｃが当接して後方への移動を規制するようになっている。すなわち、前記筒状部７３の環状突片７３ｃを前記環状凹部４４ａに嵌合させることで、該筒状部７３が所定の姿勢で安定的に保持される。また、前記遊技盤２０と設置部材３３とを組み付けた際に、前記光照射装置６６に設けられた前記凸レンズ部７１が前記筒状部７３(筒本体７３ａ)の後方開口部の内側に臨むよう構成されて、該凸レンズ部７１を透過した光が漏れなく筒状部７３の内側に照射されるようになっている。
【００５２】
前記カバー部７５は、図１１〜図１３に示すように、前記設置筒部４４の前方に位置するよう前記枠状装飾体４０の基体４１(枠本体４２)に固定される保持部材７６と、該保持部材７６に取り付けられ、光透過性の合成樹脂材により形成された光透過体７９とから構成されており、当該保持部材７６を枠状装飾体４０の基体４１(枠本体４２)に固定した状態で前記筒状部７３の前側に光透過体７９が位置するよう構成される。なお、前記保持部材７６は、光を通さない合成樹脂材により形成されている。前記保持部材７６は、前記設置筒部４４の前方に位置する前面板部７７の縁部近傍に、後方へ突出する連結突部７７ａが形成されて、前記庇状部４６に前後に貫通するよう形成された連結孔４６ａ(図４、図１２参照)に連結突部７７ａを挿入した状態で、前記枠状装飾体４０の枠本体４２にネジ止めされるようになっている。また、前記保持部材７６の前面板部７７には、前記連結突部７７ａの形成側縁部を除く外周縁から後方へ延出する囲繞壁７８が形成されており、該囲繞壁７８と庇状部４６との間に形成される空間に前記光透過体７９が配置されている。更に、前記前面板部７７には、前記光照射装置６６のＬＥＤ７０ａの光軸を中心とする周方向に離間して複数(実施例では５つ)の嵌合孔７７ｂが形成されている。
【００５３】
前記光透過体７９は、図１１〜図１３に示すように、前記筒状部７３(筒本体７３ａ)の前方開口部に整合する筒状に形成されて後方に開口する環状筒部８０と、該環状筒部８０の前面に形成されて前方へ突出する導光部(光透過部)８１とを備え、該環状筒部８０の前面８０ａの中心が前記光照射装置６６のＬＥＤ７０ａの光軸上に位置するよう前記保持部材７６の前面板部７７にネジ止めされている。ここで、前記導光部８１は、前記光照射装置６６のＬＥＤ７０ａの光軸を中心とする周方向に離間した複数箇所(実施例では５箇所)に、前記保持部材７６の前面板部７７に形成された前記嵌合孔７７ｂと前後に整列するよう形成されており、前記光透過体７９を保持部材７６に固定した際に、各導光部８１が対応する嵌合孔７７ｂに嵌合して、該前面板部７７の前面が導光部８１の先端が突出するよう構成されている。すなわち、前記導光部８１は、前記光照射装置６６のＬＥＤ７０ａの周りを囲うよう配列されると共に、前記筒状部７３の前方開口部に臨むよう構成される。
【００５４】
また、前記光透過体７９の環状筒部８０は、筒状の壁部に光拡散加工が施されると共に、該環状筒部８０の後端部が前記筒状部７３の開口前端部(環状突片７３ｃ)に当接するよう構成されている(図１３参照)。すなわち、前記光透過体７９の環状筒部８０の後方開口部が前記筒状部７３の前方開口部に整合するよう配置されて、該筒状部７３の環状突片７３ｃが前記枠状装飾体４０の設置筒部４４(環状凹部４４ａ)と光透過体７９の環状筒部８０とにより挟持される。すなわち、前記光透過体７９の全ての導光部８１が前記筒状部７３の前方開口部の内側に臨むよう構成されており、前記光照射装置６６のＬＥＤ７０ａを発光して凸レンズ部７１を透過した光が筒状部７３を介して光透過体７９の各導光部８１に照射されて、各導光部８１を透過した光が前記保持部材７６の前方(遊技盤２０の前方)へ照射されるようになっている。
【００５５】
(ステージ９０について)
図２、図３、図１４〜図１９に示すように、前記ステージ９０は、前記球誘導部４８の球通出口４８ｃに連通し、該球誘導部４８の球通路を通過したパチンコ球Ｐが転動する第１ステージ部９２(上段に位置する第１の球転動部)と、該第１ステージ部９２より下方に位置して当該第１ステージ部９２からパチンコ球Ｐが移動可能で、パチンコ球Ｐを遊技盤２０の遊技領域２０ａに排出する第２ステージ部１２２(下段に位置する第２の球転動部)と、第１ステージ部９２に到来したパチンコ球Ｐを異なる複数の方向(具体的には第２ステージ部１２２、始動入賞口２７ａの直上、始動入賞口２７ａの直上から外れた位置)へ案内する振分案内部１００とを備え、ステージ９０に受入れたパチンコ球Ｐが最終的に遊技盤２０の遊技領域２０ａに排出されるようになっている。すなわち、前記ステージ９０は、パチンコ球Ｐを左右方向に案内する球転動面９２ａ,１２２ａを備えたステージ部９２,１２２が上下に離間する関係で複数段(実施例では２段)設けられて、上段に位置するステージ部９２から下段に位置するステージ部１２２へパチンコ球Ｐが順次移動し得るよう構成されている。なお、実施例では、図１６に示すように、前記第１ステージ部９２および第２ステージ部１２２は、独立した部材で夫々形成されて、該第１ステージ部９２および第２ステージ部１２２が形成された部材の夫々を、第１ステージ部材９１および第２ステージ部材１２１と指称するものとする。
【００５６】
(第１ステージ部材９１について)
前記第１ステージ部材９１は、図１４〜図１６に示すように、前記第１ステージ部９２の第１球転動面９２ａが左右方向に延在するよう形成されると共に、該第１ステージ部９２の下面に、前記第２ステージ部材１２１に固定される固定部９２ｂが下方へ突出するよう複数箇所(実施例では４箇所)に形成されている。そして、前記第１ステージ部９２の前側に位置するよう前記振分案内部１００が第１ステージ部材９１に一体的に形成されている。ここで、前記第１ステージ部９２は、図１５、図１６(a)、図１７に示すように、前記第１球転動面９２ａの前後の端縁の夫々から上方へ延出する前後の壁部９３,９４が形成されて、１個のパチンコ球Ｐが転動可能な通路を構成している。すなわち、前記球誘導部４８の球通出口４８ｃを通出したパチンコ球Ｐは、前記第１球転動面９２ａ上を左右方向に転動するよう構成されている。なお、前記第１第１球転動面９２ａの前端縁には、下方へ垂下する支持板９５が設けられており、前記第１ステージ部材９１と第２ステージ部材１２１との接続部分を支持板９５で目隠しするようになっている。
【００５７】
ここで、前記第１ステージ部９２の第１球転動面９２ａは、図１４、図１５に示すように、前記球誘導部４８の球通出口４８ｃに接続する左端部から右方向へ離間するにつれて下方傾斜し、前記始動入賞装置２７の始動入賞口２７ａの鉛直上方位置で最も下方に位置すると共に、該最下部位置から右方向へ離間するにつれて上方傾斜する上下方向に緩やかに起伏した湾曲形状に形成されている。そして、前記第１ステージ部９２には、前記第１球転動面９２ａにおける最も下方へ湾曲した最下部位置に、前方へ下方傾斜する傾斜面９６が形成されており、該第１球転動面９２ａを転動するパチンコ球Ｐの動きが最終的に傾斜面９６上で収束して前壁部９３側に移動するよう構成されている。ここで、前記傾斜面９６の左右の幅寸法は、パチンコ球Ｐの直径３個分程度に設定されている。
【００５８】
また、図１４〜図１６に示すように、前記第１ステージ部９２の前壁部９３は、前記傾斜面９６と対応する位置に、前後に開放する切欠口９７が形成されており、該前壁部９３の切欠口９７に前記振分案内部１００が臨むよう構成されている。従って、前記球誘導部４８から第１ステージ部９２に移動したパチンコ球Ｐは、最終的に前記傾斜面９６の傾斜によって前記切欠口９７を介して前記振分案内部１００へ案内されるようになっている。すなわち、前記前壁部９３の切欠口９７が、前記第１ステージ部９２と振分案内部１００とを連通する連通部として機能している。また、前記第１ステージ部９２における前壁部９３の後面には、前記切欠口９７を挟む両端部に、後方へ突出する案内突片９８が形成されている。前記各案内突片９８における前記切欠口９７から離間する端部(第１ステージ部９２の傾斜方向上側に位置する端部)は、該切欠口９７に近づくにつれて後方へ傾斜する傾斜状のテーパ面９８ａが形成されており、前記第１ステージ部９２の前壁部９３に沿って切欠口９７に近接転動するパチンコ球Ｐを、該テーパ面９８ａにより切欠口９７から離間する後壁部９４側に誘導するよう構成されて、該第１ステージ部９２でパチンコ球Ｐが転動する時間を長くしている。
【００５９】
(振分案内部１００について)
前記振分案内部１００は、図１４〜図１６に示すように、前記第１ステージ部９２の支持板９５から前方へ突出するよう形成された球転動板１０１上に、前記切欠口９７に連通する第１〜第３案内ルート１０５,１１０,１１５が形成されている。具体的には、前記球転動板１０１には、図１５〜図１７に示すように、前記連通口４２ｂの前側位置に、上方へ突出すると共に前後方向の全長に亘って延在する区画壁１０２,１０３が左右方向に離間する位置に形成されている。すなわち、前記球転動板１０１の上面は、前記左右の区画壁１０２,１０３により左右方向に隣接する３つの領域に区切られて、区切られた領域毎に第１〜第３案内ルート１０５,１１０,１１５が形成されている。従って、前記第１ステージ９０の第１球転動面９２ａを転動したパチンコ球Ｐは、前記切欠口９７を介して第１〜第３案内ルート１０５,１１０,１１５の何れかに振り分けられて移動するようになっている。すなわち、前記切欠口９７は、前記第１ステージ９０の第１球転動面９２ａを前記第１〜第３案内ルート１０５,１１０,１１５の夫々に接続する第１〜第３接続口９７ａ,９７ｂ,９７ｃ(図１６参照)から構成されたものである。なお、前記球転動板１０１の前端部は、前記第２ステージ部１２２の前端部より前方まで延在するよう形成されて、該球転動板１０１の前端部から落下したパチンコ球Ｐが第２ステージ部１２２に移動しないようになっている。
【００６０】
ここで、前記振分案内部１００には、図１４〜図１６に示すように、前記切欠口９７(第１接続口９７ａ)を通過したパチンコ球Ｐを前記始動入賞装置２７の始動入賞口２７ａの直上で排出する第１案内ルート１０５が前記左右の区画壁１０２,１０３の間に形成され、該切欠口９７(第２接続口９７ｂ)を通過したパチンコ球Ｐを前記第２ステージ部１２２へ案内する第２案内ルート１１０が左側区画壁１０２の左方に形成されると共に、当該切欠口９７(第３接続口９７ｃ)を通過したパチンコ球Ｐを遊技領域２０ａにおける始動入賞口２７ａの直上から外れた位置で排出する第３案内ルート１１５が該右側区画壁１０３の右方に形成されている。すなわち、前記第１ステージ部９２の第１球転動面９２ａに繋がる前記切欠口９７の前側に、前記第１案内ルート１０５を間に挟んで第２案内ルート１１０および第３案内ルート１１５が位置するよう構成されている。なお、以下の説明では、前記球転動板１０１において、前記第１案内ルート１０５に対応する板部分を第１球案内面１０６と指称し、前記第２案内ルート１１０に対応する板部分を第２球案内面１１１と指称し、前記第２案内ルート１１０に対応する板部分を第３球案内面１１６と指称するものとする。また、前記傾斜面９６には、図１５〜図１６に示すように、前記第２接続口９７ｂおよび第３接続口９７ｃに対応する位置に、該傾斜面９６の前端部から後方へ延在する誘導溝９６ａが形成されると共に、各誘導溝９６ａに向けて下方傾斜する誘導面９６ｂが形成されている。
【００６１】
前記第１球転動面９２ａ(傾斜面９６)の前側位置には、図１５〜図１７に示すように、前記右側区画壁１０３と前後に整列する位置に、上方へ突出する突出部９６ｃが前記切欠口９７(傾斜面９６)の前端部から後方へ延在するよう形成されている。前記突出部９６ｃは、前記傾斜面９６上を左右に転動するパチンコ球Ｐが乗り越えられる突出寸法で形成されており、該傾斜面９６上をパチンコ球Ｐが転動する際の抵抗として機能するようになっている。すなわち、前記第１球転動面９２ａを転動して前記傾斜面９６をパチンコ球Ｐが左右方向に横切るよう移動する際に、パチンコ球Ｐに勢いがある間は前記突出部９６ｃを乗り越えて左右方向に移動し、突出部９６ｃを乗り越えるだけの勢いがパチンコ球Ｐから失われると、傾斜面９６上において突出部９６ｃの左側または右側にパチンコ球Ｐが留まるようになっている。従って、前記突出部９６ｃの左側に留まったパチンコ球Ｐが、前記第１接続口９７ａから第１案内ルート１０５へ移動するか或いは前記第２接続口９７ｂから第２案内ルート１１０に移動する一方、該突出部９６ｃの右側に留まったパチンコ球Ｐが、前記第３接続口９７ｃから第３案内ルート１１５に移動するようになっている。
【００６２】
(第１案内ルート１０５について)
前記第１案内ルート１０５の底面を形成する前記第１球案内面１０６は、図１７、図１８に示すように、前方へ向けて一様に下方傾斜するよう形成されると共に、該第１球案内面１０６の上面に、前記左右の区画壁１０２,１０３に沿って前後方向に延在する一対の案内リブ１０７,１０７が左右方向に離間して形成されている。すなわち、前記傾斜面９６から第１接続口９７ａを介して前記第１案内ルート１０５に移動したパチンコ球Ｐは、前記一対の案内リブ１０７,１０７に支持されつつ案内リブ１０７,１０７に沿って前方へ誘導されて、当該案内リブ１０７,１０７の前端部から落下するようになっている。ここで、前記一対の案内リブ１０７,１０７間の中間線上に、前記始動入賞装置２７の始動入賞口２７ａが上方に開口するよう構成されており、該案内リブ１０７,１０７(第１案内ルート１０５)の前端部からパチンコ球Ｐが始動入賞装置２７の始動入賞口２７ａに向けて落下するようになっている。また、前記第１球案内面１０６の前端部には、前方および上下に開口するＶ字状の第１案内溝１０８が形成されており、前記一対の案内リブ１０７,１０７の前端部まで転動したパチンコ球Ｐが前記第１球案内面１０６に接触するのを防止することで、該第１球案内面１０６の前端部から落下するパチンコ球Ｐが前記始動入賞装置２７の始動入賞口２７ａに向けて安定して落下するよう構成されている。
【００６３】
(第２案内ルート１１０について)
前記第２案内ルート１１０を形成する前記第２球案内面１１１は、図１４、図１５、図１８、図１９に示すように、前記第２接続口９７ｂから左方(第１案内ルート１０５から離間する方向)へ向けて一様に下方傾斜するよう形成されると共に、該第２球案内面１１１の前端部に上方へ突出する規制突部(規制リブ)１１２が形成されている。前記規制突部１１２は、前記左側区画壁１０２から第２球案内面１１１の左端部まで延在するよう形成されており、前記傾斜面９６から第２接続口９７ｂを介して前記第２案内ルート１１０に移動したパチンコ球Ｐが、前記規制突部１１２に接触して前記第２球案内面１１１の傾斜に沿って左方向に移動するよう構成されている。ここで、前記第２球案内面１１１は、前記第２ステージ部１２２の第２球転動面１２２ａ上に位置するよう構成されており、該第２球案内面１１１の傾斜下端部(左端部)から落下したパチンコ球Ｐが第２球転動面１２２ａ上に移動するよう構成されている(図１４、図１５、図１８参照)。
【００６４】
そして、前記第２球案内面１１１からの前記規制突部１１２の突出高さは、該第２球案内面１１１からの前記左側区画壁１０２の突出高さよりも高くなるよう設定されており、前記第２接続口９７ｂを介して第２案内ルート１１０に移動したパチンコ球Ｐが規制突部１１２を越えて前方移動するのを確実に規制する一方で、第２案内ルート１１０に移動したパチンコ球Ｐの勢い等によって左側区画壁１０２を越えて第１案内ルート１０５にパチンコ球Ｐが移動するのを許容している。すなわち、前記傾斜面９６から第２案内ルート１１０に移動したパチンコ球Ｐであっても、前記第１案内ルート１０５に移動する可能性を残すことで、第２案内ルート１１０に移動するパチンコ球Ｐの行き先に対する注意を惹き付けるようになっている。
【００６５】
(第３案内ルート１１５について)
前記第３案内ルート１１５を形成する前記第３球案内面１１６は、図１４、図１５、図１８に示すように、前方へ向けて下方傾斜すると共に、該第３球案内面１１６の左右方向の中央位置が最も窪む湾曲形状に形成されている。また、前記第３球案内面１１６の右端縁には、上方へ突出する球落下規制片１１７が形成されて、前記傾斜面９６から第３接続口９７ｃを介して前記第３案内ルート１１５へ移動したパチンコ球Ｐが第３球案内面１１６の右端縁から落下するようの規制している。更に、前記第３球案内面１１６には、前記第３接続口９７ｃの前方位置に、前記右側区画壁１０３から離間するにつれて前方へ傾斜する案内片１１８(案内部)が形成されている。すなわち、前記第３接続口９７ｃから第３案内ルート１１５へ移動したパチンコ球Ｐは、前記案内片１１８に沿って前記右側区画壁１０３(第１案内ルート１０５)から離間する方向(すなわち始動入賞口２７ａから離れる側方)へ案内されるようになっている。
【００６６】
ここで、前述のように、前記第３球案内面１１６は、前記球落下規制片１１７が形成された右端部側では左方向に向けて下方傾斜している。これにより、前記第３案内ルート１１５は、前記案内片１１８により前記球落下規制片１１７側へ案内されたパチンコ球Ｐが、第３球案内面１１６の傾斜によって右側区画壁１０３(第１案内ルート１０５)に近づく方向(すなわち始動入賞口２７ａに近づく側方)へ再び誘導され得るようになっている。すなわち、前記第３接続口９７ｃを介して前記傾斜面９６から第３案内ルート１１５に移動したパチンコ球Ｐは、前記案内片１１８および前記第３球案内面１１６の傾斜によって左右方向に転動方向を変えつつ前方へ移動し、最終的に第３球案内面１１６の前端部から落下して遊技領域２０ａに排出されるようになっている。
【００６７】
(第２ステージ部材１２１について)
前記第２ステージ部材１２１は、図１４〜図１６に示すように、前記第２ステージ部１２２の第２球転動面１２２ａが左右方向に延在するよう形成されると共に、前記第１ステージ部材９１が固定される固定支持板１２４が後方へ延出するように形成されている。ここで、前記第２ステージ部１２２は、図１５に示すように、左右方向に延在する第２球転動面１２２ａの後端縁から上方へ延出する後壁部１２３が形成されて、該第２ステージ部１２２の後壁部１２３の上端部に、前記固定支持板１２４が後方へ延在するよう形成されている。前記固定支持板１２４には、前記第１ステージ部９２に形成された各固定部９２ｂと対応する位置に嵌合部１２４ａが夫々形成されており、当該嵌合部１２４ａの内底面に形成した通孔１２４ｂを介して固定部９２ｂをネジ止めすることで、第１ステージ部材９１と第２ステージ部材１２１とが連結固定される。すなわち、前記第２ステージ部１２２は、前記第１ステージ部９２の下方に位置すると共に、該第１ステージ部９２より前側に位置するよう配置されて、該前記振分案内部１００(第１〜第３案内ルート１０５,１１０,１１５)が第２ステージ部１２２(第２球転動面１２２ａ)の上方に離間する位置に上下に重なるよう位置している。また、前記第２ステージ部材１２１には、前記遊技領域２０ａを流下するパチンコ球Ｐが枠状装飾体４０の窓口４０ａを介して飛込む飛込み球案内面１２５が前記第２球転動面１２２ａの左方に連続して形成されている(図１５、図１９参照)。
【００６８】
実施例に係る第２球転動面１２２ａは、図１４〜図１６、図１８、図１９に示すように、上方に突出した凸形状部分(山状の部分)が１箇所設けられると共に、下方に突出した凹形状部分(谷状の部分)を凸形状部分の左右両側部の２箇所に備えた起伏形状に形成されている。なお、前記第２球転動面１２２ａは、左右の端部が大きな曲率で凹状に湾曲するよう形成されており、パチンコ球Ｐが該第２球転動面１２２ａ上を上下方向に変位しながら左右に転動するようになっている。そして、前記第２球転動面１２２ａの左上端部に、該第２球転動面１２２ａに向けて下方傾斜するよう形成された前記飛込み球案内面１２５が連設されて、該飛込み球案内面１２５に到来したパチンコ球Ｐを第２球転動面１２２ａへ案内するよう構成されている。また、前記第２球転動面１２２ａおよび飛込み球案内面１２５の前端部には、上方へ突出する球移動規制壁１２６が連続して形成されており、該第２球転動面１２２ａおよび飛込み球案内面１２５を転動するパチンコ球Ｐの前方移動を規制している。
【００６９】
そして、図１５、図１６(b)に示すように、前記第２球転動面１２２ａの凸形状部分には、前方および上方に開口するＶ字状の第２案内溝１２７(第４案内ルート)が形成されると共に、第２球転動面１２２ａの両凹形状部分には、前方へ下方傾斜する凹溝部１２８,１２８(第５案内ルート)が夫々形成されている。ここで、前記球移動規制壁１２６は、前記第２案内溝１２７および凹溝部１２８,１２８の形成位置と対応する位置で切り欠かれており、前記第２球転動面１２２ａ上を転動するパチンコ球Ｐが第２案内溝１２７および凹溝部１２８,１２８の何れか１つから前方(遊技領域２０ａ)へ排出(落下)されるようになっている。
【００７０】
また、前記第２案内溝１２７は、前記始動入賞装置２７の始動入賞口２７ａの鉛直上方位置に形成されており、該第２案内溝１２７から始動入賞装置２７の始動入賞口２７ａに向けてパチンコ球Ｐが落下するよう構成されている(図１９参照)。一方で、前記凹溝部１２８,１２８は、前記始動入賞装置２７における始動入賞口２７ａの左右側部の上方に位置するよう形成されており、該凹溝部１２８,１２８からは始動入賞口２７ａの左右側部に向けて排出されるようになっている。従って、前記凹溝部１２８,１２８から遊技領域２０ａ内に排出されたパチンコ球Ｐは、遊技釘３０との接触により弾かれることで始動入賞口２７ａへ入賞し得るようになっている。すなわち、前記第２案内溝１２７を介して遊技領域２０ａに排出されるパチンコ球Ｐに較べて、前記凹溝部１２８,１２８を介して遊技領域２０ａに排出されるパチンコ球Ｐは、前記始動入賞装置２７の始動入賞口２７ａに入賞し難くなっている。
【００７１】
そして、前記第２球転動面１２２ａに形成された前記第２案内溝１２７は、前記第１球転動面９２ａに形成された第１案内溝１０８の下方に位置しており、前記始動入賞装置２７の始動入賞口２７ａとの距離が近いことから、該第２案内溝１２７から遊技領域２０ａに排出されるパチンコ球Ｐは、第１案内溝１０８から排出されるパチンコ球Ｐに較べて始動入賞口２７ａに入賞し易くなっている。また、前記右側に位置する凹溝部１２８,１２８における左右の中心線は、前記第３案内ルート１１５における第３球案内面１１６の左右の中心線よりも外側(始動入賞装置２７から離間する位置)に設定されており、該第３案内面から遊技領域２０ａに排出されるパチンコ球Ｐは、凹溝部１２８,１２８から排出されるパチンコ球Ｐに較べて始動入賞口２７ａに入賞し易くなっている。
【００７２】
(実施例の作用)
次に、前述のように構成された実施例に係るパチンコ機１０の作用につき説明する。
【００７３】
前記中枠１２の前面側に設けられた前記操作ハンドル１６の操作レバー１６ａを遊技者が回転操作すると、前記打球発射装置から発射されたパチンコ球Ｐが前記遊技盤２０に設けた案内レール２１により画成された発射通路２１ａを介して遊技領域２０ａ内に打ち出されて、遊技釘３０等に接触して流下方向を変更しながら遊技領域２０ａ内をパチンコ球Ｐが流下する。そして、前記遊技領域２０ａを流下するパチンコ球Ｐが前記始動入賞装置２７の始動入賞口２７ａに入賞すると、前記図柄表示装置１８での図柄変動演出が開始され、図柄変動演出の結果、図柄表示装置１８に所定の図柄組み合わせが表示されると大当りが発生する。大当りが発生すると、前記遊技盤２０の下方に設けられた特別入賞装置２８が開放されると共に、図柄表示装置１８において大当り演出が行なわれる。
【００７４】
実施例に係る遊技盤２０に設けられた前記発光装飾部６５では、前記設置部材３３に配設された光照射装置６６のＬＥＤ７０ａからの光が凸レンズ部７１を透過して前記光透過体７９の導光部８１に照射されるようになっている。すなわち、前記光照射装置６６のＬＥＤ７０ａからの光を凸レンズ部７１で拡散するよう構成したから、指向性が高いＬＥＤ７０ａによる光の照射範囲が拡がり、当該ＬＥＤ７０ａと光透過体７９の導光部８１とを前後の関係で直線的に配列しなくても、複数の導光部８１に光を照射することができる。また、前記保持部材７６の嵌合孔７７ｂに嵌合した前記各導光部８１が遊技盤２０の前面に露出するよう構成されているから、前記導光部８１に後端部に照射されたＬＥＤ７０ａからの光は、該導光部８１の内部を透過した光が遊技盤２０の前方へ照射されて、発光装飾部６５による発光演出を行なうことができる。
【００７５】
また、前記筒状部７３の後端部を前記光照射装置６６(前カバー体６７の膨出状部６７ｂ)の前面に近接させて、前記凸レンズ部７１を筒状部７３の後方開口部の内側に臨むよう構成してあるから、当該凸レンズ部７１を透過した光を洩れなく筒状部７３内を通過させることができる。しかも、前記筒状部７３は、後方から前方に向かうにつれて開口面積が増大する形状に形成されているから、該凸レンズ部７１を透過した光以外に筒状部７３の内部に入る光量を抑制でき、前記光照射装置６６のＬＥＤ７０ａの点灯・消灯に応じて導光部８１を発光させることができる。
【００７６】
更に、前記筒状部７３が後方から前方に向かうにつれて開口面積が増大することで、該筒状部７３の内周面を前記光透過体７９に対向するから、該光透過体７９で反射した光を筒状部７３の内周面で更に光透過体７９側に反射することができる。また、前記光透過体７９の環状筒部８０には、光を拡散する光拡散加工が施されているので、該環状筒部８０で拡散された光が導光部８１に照射されて、当該光導光部８１をより効果的に明輝させることができる。
【００７７】
ここで、前記遊技盤２０の遊技領域２０ａに打ち出されたパチンコ球Ｐは、前記枠状装飾体４０の左側方を流下して前記回転案内部材２９の接触板２９ｂに接触することで、該回転案内部材２９を回転させ、該回転案内部材２９の回転方向に応じて枠状装飾体４０側に放出される。前記枠状装飾体４０において回転案内部材２９の右側方に位置する前記第１の分離台板５１に、該枠状装飾体４０の窓口４０ａ側に塗装部５８が位置する関係でメッキ部５７と塗装部５８とが隣接して形成されており、パチンコ球Ｐが第１の分離台板５１の前面を通過する際には、メッキ部５７の前面を通った後に塗装部５８に至るようになる。前記第１の分離台板５１には、前記メッキ部５７における塗装部５８との境界位置に前記段差部５９を形成してあるから、該第１の分離台板５１の前面をメッキ部５７から塗装部５８に向けて移動するパチンコ球Ｐが段差部５９に接触し、該段差部５９を越えてメッキ部５７から塗装部５８に至る際に抵抗となる。このため、前記第１の分離台板５１の前面を移動するパチンコ球Ｐがメッキ部５７を越えて塗装部５８に至る頻度を低減させることができ、当該塗装部５８の塗装剥げが抑制される。すなわち、前記第１の分離台板５１に形成した前記塗装部５８の耐久性が高められる。
【００７８】
また、前記回転案内部材２９の回転に伴ってパチンコ球Ｐが勢いよく放出されることもあることから、該回転案内部材２９の回転により放出されるパチンコ球Ｐの放出方向側に前記段差部５９が位置することで、パチンコ球Ｐが塗装部５８にそのまま接触するのを防止でき、該塗装部５８の塗装剥げを効果的に抑制できる。更に、前記段差部５９を庇状部４６の下端部の下方に位置するよう設けたことで、前記回転案内部材２９の回転により放出されたパチンコ球Ｐ以外のパチンコ球Ｐが段差部５９に到来し難くでき、パチンコ球Ｐが塗装部５８に至る頻度を低減することができる。また、前記回転案内部材２９から始動入賞装置２７の始動入賞口２７ａまでは直線的に遊技球が連続した案内連釘３１が設けられており、該回転案内部材２９から放出されるパチンコ球Ｐの動きに対する遊技者の関心が高くなる。すなわち、遊技者の注目度が高い回転案内部材２９から始動入賞装置２７に至る案内連釘３１の周辺に塗装部５８を形成できるから、枠状装飾体４０の装飾性を高めることができる。
【００７９】
このように、前記第１の分離台板５１のベース材５４を形成する合成樹脂材に着色剤を混練する形態の他に、該第１の分離台板５１に対して塗装して彩色することが可能となるから、当該第１の分離台板５１を色彩で装飾する形態の選択幅が広がり、枠状装飾体４０の装飾性向上を図り得る。また、前記第１の分離台板５１の塗装部５８をコーティングすることなく耐久性向上を図り得るから、製造コストの増大を招来するのを防止し得ると共に、コーティングにより塗装面の質感が損なわれるのを防止できる。
【００８０】
また、前記段差部５９は、前記メッキ部５７よりも前方へ突出するよう形成されているから、第１の分離台板５１の前面をメッキ部５７から塗装部５８に向けて移動するパチンコ球Ｐを段差部５９に確実に接触させることができ、該段差部５９を越えて塗装部５８に至るパチンコ球Ｐの抵抗を高めることができる。更に、メッキ部５７から塗装部５８に至る過程で、前方へ突出する段差部５９を乗り越えて移動するため、該段差部５９を通過したパチンコ球Ｐは遊技盤２０の前方側(すなわち塗装部５８から離間するの前方)へ誘導され、塗装部５８に対するパチンコ球Ｐの接触頻度をより低下して塗装剥げの抑制を図り得る。また、前記段差部５９の側面５９ａは、該側面５９ａの接線と前記遊技盤２０との交差角度が遊技盤２０側端縁部から突出端部に至るにつれて漸増する曲面形状に形成されているから、メッキ部５７から塗装部５８に至る過程で段差部５９を乗り越える際の抵抗が大きくなる。すなわち、前記段差部５９のメッキ部５７側の側面５９ａを曲面形状に形成することで、塗装部５８に至るパチンコ球Ｐの頻度を低減して塗装剥げの抑制を図り得る。
【００８１】
更に、前記段差部５９は、前記回転案内部材２９から放出されるパチンコ球Ｐが描く放物線に近似した曲線で形成してあることで、該段差部５９に接触したパチンコ球Ｐを誘導するガイドとして機能し、塗装部５８に至るパチンコ球Ｐの頻度を低減することができる。また、前記塗装部５８が形成された第１の分離台板５１は、前記枠状装飾体４０の基体４１から分離可能に構成されている。このため、前記塗装部５８の塗装剥げが発生した場合には、前記第１の分離台板５１を交換するだけで枠状装飾体４０の本来の装飾性を回復することができると共に、廃棄部品の低減に大きく寄与し得る。
【００８２】
また、前記遊技盤２０に打ち出されて遊技領域２０ａを流下するパチンコ球Ｐが、前記庇状部４６に形成した球誘導部４８に通入すると、前記枠状装飾体４０の内周下部に設けられた前記ステージ９０の第１ステージ部９２に移動する。ここで、前記第１ステージ部９２に到来したパチンコ球Ｐは、該第１ステージ部９２の第１球転動面９２ａに形成した傾斜面９６で収束して、該傾斜面９６に対応して設けられた切欠口９７から第１〜第３案内ルート１０５,１１０,１１５の何れかに案内される。このように、第１ステージ部９２を転動するパチンコ球Ｐが第１〜第３案内ルート１０５,１１０,１１５を介して位置に案内されるので、遊技者がパチンコ球Ｐの流下経路を予想し難くなり、ステージ９０上のパチンコ球Ｐの動きに対する遊技者の関心を強く惹き付けることができる。しかも、前記第１〜第３案内ルート１０５,１１０,１１５の夫々に接続する第１〜第３接続口９７ａ,９７ｂ,９７ｃが１つの切欠口９７に臨んでいるから、パチンコ球Ｐが案内される経路の予想がつき難く、遊技者の関心を強く惹くことができる。
【００８３】
ここで、第１ステージ部９２を転動するパチンコ球Ｐが第３案内ルート１１５を通った場合には、前記始動入賞装置２７の始動入賞口２７ａから外れた位置でそのまま排出される。すなわち、実施例のステージ９０では、前記第１ステージ部９２から始動入賞装置２７の始動入賞口２７ａにパチンコ球Ｐが入賞する入賞期待感の高い第１案内ルート１０５や、下段側の第２ステージ部１２２にパチンコ球Ｐが排出されて始動入賞口２７ａへ入賞期待感が残された第２案内ルート１１０とは別に、当該始動入賞口２７ａへ入賞期待感が低い第３案内ルート１１５を設けてあるから、該第１ステージ部９２上のパチンコ球Ｐの動きに適度な緊張感を与えることができ、前記ステージ９０に到来したパチンコ球Ｐの動きに対する遊技者の注意を従来になく強く惹きつけることができるようになる。また、前記第２ステージ部１２２には、パチンコ球Ｐを排出する第２案内溝１２７および凹溝部１２８,１２８が設けられて、該第２ステージ部１２２に移動したパチンコ球Ｐを何れかのルートから排出されるよう構成されているから、第２ステージ部１２２に移動したパチンコ球Ｐが移動する経路の予想もつき難く、遊技者の関心を最後まで強く惹き付けることができる。
【００８４】
また、前記第１ステージ部９２の第１球案内面１０６の前縁に設けた前壁部９３に沿って転動するパチンコ球Ｐは、前記切欠口９７の開口端縁部に位置する前記案内突片９８によって前記傾斜面９６の後方(切欠口９７から離れた位置)へ向けて案内される。従って、前記第１ステージ部９２の前壁部９３に沿って転動するパチンコ球Ｐがそのまま切欠口９７から排出されるのを防止でき、該第１ステージ部９２でのパチンコ球Ｐの滞留時間を長くして、該パチンコ球Ｐの動きに対する興趣を持続させ得る。
【００８５】
ここで、前記第１〜第３案内ルート１０５,１１０,１１５が形成された前記振分案内部１００を、前記第１ステージ部９２の第１球転動面９２ａ(傾斜面９６)の前側に設けてあるので、該第１球案内面１０６(傾斜面９６)から振分案内部１００に移動するパチンコ球Ｐが視認し易い。しかも、前記第１ステージ部９２の第１球案内面１０６と第２ステージ部１２２の第２球転動面１２２ａとを前後にずらして設けると共に、該第２球転動面１２２ａの上方に離間する位置に振分案内部１００を設けてある。従って、前記第２ステージ部１２２の第２球転動面１２２ａの上方のスペースを有効利用して振分案内部１００(第１〜第３案内ルート１０５,１１０,１１５)を設けることができ、ステージ９０構成のコンパクト化を図ることができ、枠状装飾体４０の窓口４０ａ内に臨む図柄表示装置１８の視認性を損なうことはない。
【００８６】
また、前記傾斜面９６には、前記第１案内ルート１０５と第３案内ルート１１５とを区画する右側区画壁１０３と整列する位置に、上方に突出する突出部９６ｃが形成されている。このため、第１ステージ部９２上のパチンコ球Ｐは、前記傾斜面９６上において右側区画壁１０３の左左右何れか側方で収束する。すなわち、前記右側区画壁１０３の左側で収束したパチンコ球Ｐは、前記第１案内ルート１０５または第２案内ルート１１０の何れかに移動する一方で、該右側区画壁１０３の右側で収束したパチンコ球Ｐは、前記第３案内ルート１１５に移動する、該傾斜面９６上において突出部９６ｃを越えて左右に転動するパチンコ球Ｐの動きに対して遊技者の関心が強く惹き付けられる。このため、前記第１ステージ部９２(第１球転動面９２ａの傾斜面９６)に到来したパチンコ球Ｐが切欠口９７を介して移動する案内ルート１０５,１１０,１１５は、前記突出部９６ｃにより限定されるから、該第１ステージ部９２上におけるパチンコ球Ｐの動きに対する関心を強く惹き付けることができる。しかも、前記突出部９６ｃの左側(２つの案内ルートに接続する側部側)に収束したパチンコ球は、第１案内ルート１０５にパチンコ球Ｐが移動する可能性が高くなるから、前記第１ステージ部９２上でのパチンコ球Ｐの動きの重要度が増し、パチンコ球Ｐの動きに対する関心を高められる。
【００８７】
ここで、前記傾斜面９６から第３接続口９７ｃ介して前記第３案内ルート１１５に移動したパチンコ球Ｐは、該第３接続口９７ｃの前方位置に設けられた案内片１１８によって前記第３球案内面１１６上を始動入賞口２７ａから離間する方向へ案内されるものの、該第３球案内面１１６の傾斜によって始動入賞口２７ａ側へ向けて移動する可能性がある。このため、前記第３案内ルート１１５にパチンコ球Ｐが移動した場合でも始動入賞口２７ａに対する入賞の期待感があり、第３案内ルート１１５に移動したパチンコ球Ｐの動きに対する遊技者の関心が失われることはない。
【００８８】
(変更例)
なお、遊技機の構成としては、実施例のものに限らず、種々の変更が可能である。
(１)  実施例では、第１の球転動部(第１ステージ部)と第２の球転動部(第２ステージ部)とを備えた上下２段のステージを示したが、これに限られるものではなく、遊技球を左右方向に案内する球転動部を３段以上の備えるステージ構成も採用し得る。ここで、３段以上の球転動部を設けた構成では、下段側に遊技球が移動可能な何れかの上段側の球転動部(すなわち最下段に位置する球転動部を除く球転動部の何れか)に、第１〜第３案内ルートが接続するよう構成し、該上段側の球転動部の球転動面を転動する遊技球が、第１案内ルート、第２案内ルートまたは第３案内ルートの何れかに振り分けられるよう構成される。また、下段側に遊技球が移動可能な上段側の球転動部の全てに第１〜第３案内ルートを対応して設けるようにしてもよい。
(２)  実施例では、第１〜第３案内ルートを１つの連通部(切欠口)に接続するよう構成したが、これに限られるものではなく、第１の球転動部に対する第１〜第３案内ルートの各接続口を異なる位置に設けてもよい。また、第１〜第３案内ルートの内の２つが１つの連通部に接続するよう構成してもよい。
(３)  実施例では、第１の球転動部の前壁部に連通部(切欠口)を形成したが、該第１の球転動部に球転動面に上下に貫通するよう連通部を形成することも可能である。
(４)  第１〜第３案内ルートの構成・形態は、実施例に示したものに限られるものではない。すなわち、遊技領域における始動入賞口の直上で遊技球を排出するよう第１案内ルートが構成され、下段側の球転動部へ遊技球を案内するよう第２案内ルートが構成されると共に、遊技領域における始動入賞口の直上から外れた位置で遊技球を排出するよう第３案内ルートが構成されていれば、各案内ルートを遊技球が通過するパイプ形状に形成したり、その他遊技球を案内し得る構成・形態に形成することができる。
(５)  同様に、第２の球転動部に設けられる第４案内ルートおよび第５案内ルートの構成・形態に関しても、実施例に示したものに限られるものではない。すなわち、遊技領域における始動入賞口の直上で遊技球を排出するよう第４案内ルートが構成されると共に、遊技領域における始動入賞口の直上から外れた位置で遊技球を排出するよう第５案内ルートが構成されていれば、各案内ルートを遊技球が通過するパイプ形状に形成したり、その他遊技球を案内し得る構成・形態に形成することができる。
(６)  実施例では、下段に位置する第２の球転動部の球転動面を、上段側の第１の球転動部の球転動面より前側に位置するよう構成したが、該第２の球転動部の球転動面を、第１の球転動部の球転動面の後方に形配置してもよく、また第１の球転動部の球転動の真下に重なるよう配置してもよい。また、前記第１〜第３案内ルートに関しても同様に、前記第２の球転動部の球転動面の上方に離間する位置にする構成に限られるものでもない。
(７)  実施例では、前記第１の球転動部において第１案内ルートと第３案内ルートとを区画する区画壁と前後に整列する位置に、連通部から球転動面側に延出する突出部を形成したが、第１案内ルートと第２案内ルートとを区画する区画壁と前後に整列する位置に突出部を形成してもよい。この場合には、第１の球転動部上を第１案内ルート側で収束した遊技球は、該第１案内ルートまたは第３案内ルートから排出されるようになる。
(８)  実施例では、前記第１案内ルートの左側に第２案内ルートが位置すると共に、第１案内ルートの右側に第３案内ルートが位置するよう構成した、これに限られるものではなく、任意の配置にすることができる。
【００８９】
(９)  実施例では、発光装飾部の凸レンズ部が１つの発光体の光照射方向前側を覆うよう構成したが、これに限られるものではなく、複数の発光体の光照射方向前側を凸レンズ部で覆うよう構成してもよい。
(１０)  実施例では、発光装飾部のカバー部を保持部材と光透過体とから構成したが、これに限られるものではなく、筒状部における光照射方向前側の貫通口を覆うようカバー部を設けて、発光体の周りを囲うように配列された複数の光透過部が該光照射方向前側の貫通口に臨むよう備えた構成であればよい。
(１１)  実施例では、遊技盤の裏側に配設された設置部材に光照射装置を配設して、該光照射装置に発光装飾部を構成する発光体および凸レンズ部を設けるよう構成したが、該発光体および凸レンズ部の夫々を枠状装飾体に設けるようにしてもよく、凸レンズ部のみを枠状装飾体に設けるよう構成することもできる。また反対に、実施例では、発光装飾部を構成する筒状部およびカバー部を枠状装飾体に設けるよう構成したが、該筒状部およびカバー部の夫々を設置部材側の光照射装置に設けるようにしてもよい。
(１２)  実施例では、発光装飾部を枠状装飾体に設けるよう構成したが、これに限られるものではなく、遊技盤の前面に露出する位置であれば任意の位置に設けることができる。
【００９０】
(１３)  実施例では、枠状装飾体に固定台板および分離台板を設けて、該分離台板に非塗装部と塗装部と形成すると共に、該非塗装部における塗装部との境界に段差部を形成する構成を示したが、これに限られるものではく、固定台板に同様の非塗装部、塗装部および段差部を形成してもよい。
(１４)  実施例では、分離台板の表面に露出するメッキ層が非塗装部を構成するよう構成したが、該分離台板のベース材自体を露出させて非塗装部を構成するようにしてもよい。すなわち、非塗装部は、塗装に較べて遊技球の接触により塗装剥げを来し難い手段により彩色された構成部分であればよい。
(１５)  実施例では、段差部を非塗装部の前面に突出するよう形成したが、該非塗装部の前面に段差部を凹設するようにしてもよい。この場合でも、非塗装部における塗装部との境界に形成した段差部に台板の前面を通過する遊技球が接触して、該段差部を越えて非塗装部から塗装部に至る際の抵抗とすることができ、塗装部に至る遊技球の頻度を低減することが可能である。
(１６)  実施例では、前記遊技盤の前面に当接した状態で固定される基体に対して着脱可能な分離台板に、非塗装部および塗装部の夫々を形成したが、少なくとも塗装部を基体から着脱可能な分離部材で形成するようにすれば、塗装部の塗装剥げが発生した場合に、該分離部材を交換するだけで枠状装飾体の本来の装飾性を回復することができる。
(１７)  実施例では、前記非塗装部よりも前方へ突出する段差部を、該非塗装部および塗装部の境界に沿って連続的に延在するよう形成したが、これに限られるものではなく、該非塗装部および塗装部の境界に沿って断続的に段差部を形成するようにしてもよい。
(１８)  実施例では、前記段差部における非塗装部側の側面を曲面形状に形成したが、これに限られるものではなく、任意の形状に形成することができる。すなわち、例えば、前記段差部における前記非塗装部側の側面を一様に傾斜する傾斜面に形成したり、該側面に凹凸部を形成してもよい。
(１９)  実施例では、遊技盤に設けられた回転体による遊技球の放出方向に設けられた分離台板に段差部を設けるよう構成したが、枠状装飾体の開口側に塗装部が位置する関係で非塗装部と塗装部とが隣接して形成された台板に段差部を形成すればよい。
(２０)  実施例では、回転体の回転に伴って放出される遊技球が描く放物線に近似した曲線で段差部が延在するよう形成したが、直線的に延在するよう段差部を形成したり、円弧を描くよう段差部を延在させることも可能である。すなわち、非塗装部における塗装部との境界に、段差部を任意の形態で形成することができる。
(２１)  実施例では、図柄表示装置が開口(窓口)の内側に臨む枠状装飾体に設けられた台板に、非塗装部における塗装部との境界に段差部を形成したが、これに限られるものではない。すなわち、遊技盤の前面に固定される遊技盤設置部品の台板に対して、非塗装部と塗装部とを隣接して形成すると共に該非塗装部における塗装部との境界に段差部を形成して、遊技盤を透視保護する透明保護板と台板の段差部との間を遊技領域を流下する遊技球が通過可能に構成するようにしてもよい。すなわち、遊技盤に固定される各種入賞装置(始動入賞装置、一般入賞装置等)や遊技球が通過する球通過ゲート等のように、平板状の台板を介して遊技盤の前面に固定される遊技盤設置部品において、非塗装部、塗装部および段差部の夫々を形成するようにしても、該段差部を越えて非塗装部から塗装部に至る際の抵抗となり、塗装部に至る遊技球の頻度を低減することができ、当該塗装部の塗装剥げを抑制し得ると共に、台板に対する色彩を付与する形態の選択幅が広がり、枠状装飾体の装飾性向上を図り得る。この場合は、前記遊技盤設置部品において台板の外周縁側に非塗装部が位置する関係で非塗装部と塗装部とを隣接して形成することが、塗装部への遊技球の接触を低減する上でより好ましい形態となる。なお、前記一般入賞装置とは、遊技球の入賞により賞球の払出しのみが行なわれる入賞装置である。
【００９１】
(２２)  実施例では、遊技盤の裏側に箱状部材を設けるよう構成したが、該箱状部材を本体枠としての中枠に設置する構成も採用できる。
(２３)  実施例では、遊技盤を木材板で形成したが、これに限られるものではなく、遊技盤を合成樹脂材から透明または不透明に形成するようにしてもよい。
(２４)  実施例では、遊技機としてパチンコ機を例示して説明したが、これに限られるものではなく、アレンジボール機やピンボール機、スロットマシン機等の各種遊技機を採用し得る。
【００９２】
また、請求項４および該請求項４を引用する請求項５または６に係る発明に関して、次の構成を要旨とする発明を更に特定することができる。
前記突出部(96c)は、前記第１案内ルート(105)と第２案内ルート(110)とを区画する区画壁(102)または第１案内ルート(105)と第２案内ルート(110)とを区画する区画壁(103)の何れか一方の区画壁(102,103)と前後に整列する位置にのみ形成される。
この構成によれば、前記第１案内ルートと第２案内ルートとを区画する区画壁または第１案内ルートと第２案内ルートとを区画する区画壁の何れか一方の区画壁と前後に整列する位置にのみ、連通部から球転動面側に延出する突出部が形成されるから、該球転動面を転動する遊技球は、突出部を基準として第１案内ルートを含む２つの案内ルートに接続する側か、該第１案内ルート以外の１つの案内ルートに接続する側の何れかに移動する。このため、前記突出部により連通部を介して遊技球が移動する案内ルートが限定されるから、第１の球転動部上における遊技球の動きに対する関心を強く惹き付けることができる。しかも、２つの案内ルートに接続する側部側に遊技球が移動した場合には、第１案内ルートに遊技球が移動する可能性が高くなるから、第１の球転動部上での遊技球の動きの重要度が増し、遊技球の動きに対する関心を高められる。
【符号の説明】
【００９３】
１８  図柄表示装置
２０  遊技盤
２０ａ  遊技領域
２７ａ  始動入賞口
４０  枠状装飾体
４０ａ  窓口
４８  球誘導部
４８ｃ  球通出口
９０  ステージ
９２  第１ステージ部(上段側の第１の球転動部)
９２ａ  第１球転動面(第１の球転動部の球転動面)
９３  前壁部(壁部)
９４  後壁部
９６ｃ  突出部
９７  切欠口(連通部)
９７ａ  第１接続口
９７ｂ  第２接続口
９７ｃ  第３接続口
９８  案内突片
１０２  左側区画壁(区画壁)
１０３  右側区画壁(区画壁)
１０５  第１案内ルート
１１０  第２案内ルート
１１５  第３案内ルート
１１５ａ  第３球案内面(第３案内ルートの球転動面)
１１８  案内片(案内部)
１２２  第２ステージ部(下段側の第２の球転動部)
１２２ａ  第２球転動面(第２の球転動部の球転動面)
１２７  第２案内溝(第４案内ルート)
１２８  凹溝部(第５案内ルート)
Ｐ  パチンコ球(遊技球)
【図１】
0005555122.tif 000002
【図２】
0005555122.tif 000003
【図３】
0005555122.tif 000004
【図４】
0005555122.tif 000005
【図５】
0005555122.tif 000006
【図６】
0005555122.tif 000007
【図７】
0005555122.tif 000008
【図８】
0005555122.tif 000009
【図９】
0005555122.tif 000010
【図１０】
0005555122.tif 000011
【図１１】
0005555122.tif 000012
【図１２】
0005555122.tif 000013
【図１３】
0005555122.tif 000014
【図１４】
0005555122.tif 000015
【図１５】
0005555122.tif 000016
【図１６】
0005555122.tif 000017
【図１７】
0005555122.tif 000018
【図１８】
0005555122.tif 000019
【図１９】
0005555122.tif 000020